(57)【要約】【課題】  ハンドルにより操作される従来のようなラッチ装置を用いないで、扉を閉鎖位置において、風圧等で開かないように保持できる構成の簡単な扉の閉鎖保持装置を提供する。【解決手段】  扉（１）の上端面に受座（８）を設け、閉鎖位置においてこの扉の受座（８）に対向する扉枠に本体（６）を設ける。この本体（６）に設けた保持筒（１０）には、ローラホルダー（１７）が上下動可能に挿入され、ローラホルダー（１７）の先端にはストップローラ（５）が設けられている。このストップローラ（５）は、案内板（２２）を介して保持筒（１０）の側方に設けたばね（３４）により突出する方向に付勢されている。上記受座（８）には、閉鎖位置において、上記ストップローラ（５）が嵌合する断面略コ字状の係止溝がある。扉を開く際に上記ローラ（５）が当る係止溝の壁面は傾斜面に形成されているので扉を開くには、この傾斜面により上記ローラを押し上げる力以上の力で扉を回動しなければ開くことができない。【選択図】      図２
2005082994.tif 000002
【特許請求の範囲】
【請求項１】
扉若しくは扉枠のいずれか一方の部材に受座を設け他方の部材に相対的に設けられた該受座に嵌合するストップローラを有する扉の閉鎖保持装置において、先端に上記ストップローラを軸支したローラホルダーを保持筒内に挿入し、該保持筒の側壁に挿通溝を対向して形成し、該挿通溝間に案内板を装架し、該案内板と上記ローラホルダーを連結し、該案内板の両端に上記保持筒の側壁に沿って保持筒の基端方向に延びる側枠部と該側枠部の先端から側方に突出する受部を形成し、上記保持筒の後方に設けた押え板と該受部間に上記ストップローラを突出する方向に付勢するばねを設け、該ストップローラが嵌合する上記受座に断面略コ字状の係止溝を設け、扉を開放方向へ回動する際該ストップローラが当接する側の係止溝の壁面を傾斜面に形成した扉の閉鎖保持装置。
【請求項２】
上記案内板とローラホルダーは、ねじ係合により連結されている請求項１に記載の扉の閉鎖保持装置。
【請求項３】
上記案内板はねじ軸を有し、ローラホルダーには該ねじ軸に係合する雌ねじが形成されている請求項２に記載の扉の閉鎖保持装置。
【請求項４】
上記保持筒は基端がベースに固定され、上記案内板の受部は該ベースの内側に対向している請求項１に記載の扉の閉鎖保持装置。
【請求項５】
上記ローラホルダーは段部を有し、該ローラホルダーの最大突出位置で該段部に当接するようストッパーを設けた請求項１または４に記載の扉の閉鎖保持装置。
【請求項６】
上記ストッパーは、ベースに取り付けた化粧板に形成されている請求項５に記載の扉の閉鎖保持装置。
【請求項７】
上記受座の係止溝の傾斜面は、４５°〜２０°の傾斜角で傾斜している請求項１に記載の扉の閉鎖保持装置。
【発明の詳細な説明】
【技術分野】
【０００１】
本発明は、通路、出入口等の開口部を閉鎖する位置に扉があるとき、該扉をその位置に保持できるようにした扉の閉鎖保持装置に関するものである。
【背景技術】
【０００２】
一般に、扉は閉鎖状態にあるとき、風等であおられて開放しないようラッチで閉鎖位置に保持されているが、通常このラッチは、ハンドルによる解除操作が必要となるので、面倒であり、単に閉鎖を保持するだけで済むような場合にもラッチ装置を使用しなければならないから、不経済でもあった。特に、防火扉のように緊急性を要する扉の場合は、ハンドル操作を必要とする構造では避難に支障をきたすので、ラッチを使用していない。そのため、ドアクローザ（自閉装置）による自閉力で閉鎖位置に保持しているだけであるから、自閉力よりも大きな風圧等が作用するとわずかに開いた状態になり、防火扉としての機能を損なうおそれもあった。上記ドアクローザによる自閉力を大きくすれば、風圧等に耐えることができるが、そのようなドアクローザは高価であり、また扉を開けるに従って自閉力が上昇するので、大きな開扉力を必要とし、老人、女子等力の弱い人には使用しにくいものであった。
【０００３】
ラッチを使わずに扉を閉鎖位置に保持する装置としてローラキャッチが知られている（例えば特許文献１参照）。しかし、通常のローラキャッチは、ローラの一部を半円形や角形の浅底の凹部に挿入して閉鎖保持するだけなので、大きな風圧等が作用すると簡単に外れる程度の保持力しか得られなかった。上記角形の凹部を深く形成してローラが充分に凹部内に挿入されるようにすると、扉を押したり、引いたりしても凹部からローラを外すことができず、開放不能となってしまう。その上、ローラを突出方向へ押圧するばねが、ローラの後方に設けられているから、ローラキャッチを取り付けるために扉等に設ける取付穴を深く形成しなければならず、取り付けが面倒である。また、ローラの後方の空間が狭いと、ローラの出没量が少なく、ローラ収納範囲を大きくとることができない。
【特許文献１】実用新案登録第２５０６９７４号公報（０００３項、図１、図５）
【発明の開示】
【発明が解決しようとする課題】
【０００４】
本発明の解決課題は、ストップローラを受座に嵌合して扉を閉鎖位置に保持する装置において、扉や扉枠等に形成する取付穴を浅く形成でき、しかもローラの出没量等を大きくできるようにし、風にあおられた程度では開かないよう扉を確実に保持でき、所望の際はハンドル操作等をせずに扉を引いたり、押したりするだけで簡単に開くことができるよう扉を閉鎖位置に保持できる閉鎖保持装置を提供することであり、特に防火扉のようにドアクローザにより自閉力を付与された扉に好適に使用できる扉の閉鎖保持装置を提供することである。
【課題を解決するための手段】
【０００５】
本発明によれば、扉若しくは扉枠のいずれか一方の部材に受座を設け他方の部材に相対的に設けられた該受座に嵌合するストップローラを有する扉の閉鎖保持装置において、先端に上記ストップローラを軸支したローラホルダーを保持筒内に挿入し、該保持筒の側壁に挿通溝を対向して形成し、該挿通溝間に案内板を装架し、該案内板と上記ローラホルダーを連結し、該案内板の両端に上記保持筒の側壁に沿って保持筒の基端方向に延びる側枠部と該側枠部の先端から側方に突出する受部を形成し、上記保持筒の後方に設けた押え板と該受部間に上記ストップローラを突出する方向に付勢するばねを設け、該ストップローラが嵌合する上記受座に断面略コ字状の係止溝を設け、扉を開放方向へ回動する際該ストップローラが当接する側の係止溝の壁面を傾斜面に形成した扉の閉鎖保持装置が提案され、上記課題が解決される。
【発明の効果】
【０００６】
本発明の扉の閉鎖保持装置は、ストップローラを突出する方向に付勢するばねが保持筒の側方に並行して設けられており、該ストップローラを軸支したローラホルダーの後方にはばねが位置していないから、装置の奥行きを浅く形成することができ、扉等に設ける取付穴の作製が容易である。また、ローラホルダーの出没量を大きくとることができ、該ローラホルダーの突出量の調整範囲も広くとることができ、扉の自閉力や扉と扉枠（チリ寸法）に応じて種々に対応でき、常に最適の状態で扉を保持することができる。
【０００７】
また、傾斜面を有する断面コ字状の係止溝に上記ストップローラを嵌合させるようにしたので、閉鎖位置において扉に風圧等が作用しても開かないように保持することができ、開放する際は係止溝の傾斜面の作用でストップローラを押し上げることができる程度の力で扉を引いたり押したりすれば、従来のラッチ装置のようにハンドル操作をする必要がなく、簡単に扉を開くことができるから、防火扉として最適に使用できる。さらに、上記扉を開ける際に必要とする大きな力は、上記ストップローラを押し上げるわずかな開き角度の範囲で必要とされるだけであり、その後はドアクローザの自閉力以上の力で開放すればよく、閉鎖する際には上記係止溝の傾斜面は何ら支障とならないから、ドアクローザとして既存の小さな自閉力を有するものをそのまま使用することができ、経済的であり、防火扉の他、錠前を必要としない室内の簡易扉等にも好適に使用することができる。
【発明を実施するための最良の形態】
【０００８】
本発明は、種々の扉に適用することができるが、図１においては防火扉（１）に本発明を適用した実施例を示し、該扉（１）はドアクローザ（２）の自閉力により通路、出入口等の開口部（３）を閉鎖するように設置されている。該扉（１）と扉枠（４）の適宜の部位には、ばねで突出する方向に付勢されたストップローラ（５）を有する本体（６）と、閉鎖位置で該ストップローラ（５）が嵌合する断面略コ字状の係止溝（７）を有する受座（８）が設けられている。該本体（６）と受座（８）は、図に示す実施例では、本体（６）を扉枠（４）の上枠側に設け、受座（８）を扉（１）の戸先側の上端面に設けてあるが、受座を扉枠側に設け本体を扉側に設けてもよい。
【０００９】
図２、図３を参照し、上記本体（６）は、ベース（９）と該ベース（９）に固定した保持筒（１０）と、該保持筒（１０）の側面にねじ（１１）で止着したケース（１２）を有し、上記ベース（９）には扉枠等に固定するための取付穴（１３）が設けられ、かつ前面には化粧板（１４）がねじ（１５）で止着され、ストップローラを挿通する穴（１６）が形成されている。
【００１０】
上記保持筒（１０）内には、図２において上下方向に摺動自在に、かつ回転可能にローラホルダー（１７）が遊嵌されている。該ローラホルダー（１７）の先部には受溝（１８）が形成され、該受溝（１８）内にストップローラ（５）を挿入し、ピン（１９）で回転自在に軸支し、中心部には雌ねじ（２０）が形成されている。
【００１１】
上記保持筒（１０）の側壁には挿通溝（２１）、（２１）が対向状態に形成されており、該挿通溝（２１）、（２１）間に案内板（２２）が上下方向に移動可能にかつ円周方向には回転しないように装架されている。該案内板（２２）は、保持筒（１０）を横切って延びる連結部（２３）と、該連結部（２３）の両端から保持筒（１０）の側壁に沿って保持筒（１０）の基端側に延びる側枠部（２４）、（２４）と、該側枠部（２４）、（２４）の先端から側方に突出する受部（２５）、（２５）を具備し、該受部（２５）、（２５）はベース（９）の内側に対向している。図２に示す実施例においては、上記受部（２５）、（２５）がベース（９）の内側に当接したとき上記連結部（２３）と挿通溝（２１）の溝底間に隙間が生じるようにしてあるが、該連結部（２３）が挿通溝（２１）の溝底に当って上記受部（２５）とベース（９）の内側間に隙間が生じるようにしてもよい（図示略）。
【００１２】
上記案内板（２２）の連結部（２３）と上記ローラホルダー（１７）の後部は適宜の連結手段により連結されている。該連結手段は、ローラホルダーを連結部に固定的に連結する構造でもよいが、好ましくは、ローラホルダーに設けたストップローラ（５）の突出量を調整できるよう調整可能に設けてある。そのような連結手段としては、ねじ係合が一般的であり、図２に示す実施例では上記連結部（２３）にねじ軸（２６）を固定し、該ねじ軸（２６）にローラホルダー（１７）の雌ねじ（２０）をねじ着し、該ローラホルダー（１７）を回転することにより上記ストップローラ（５）の突出量を図２の（ａ）の範囲で可変できるようにしてある。ねじ軸をローラホルダーに設け、連結部に雌ねじを形成することもできる。
【００１３】
なお、上述のようにローラホルダー（１７）を調整可能に設けると、該ローラホルダー（１７）が本体（６）から抜け出すおそれがある。そこで、該ローラホルダー（１７）の適宜部位に段部を形成し、最大突出位置まで該ローラホルダー（１７）が突出したとき該段部が当接するようストッパーを設けることができる。図２に示す実施例では、ローラホルダー（１７）の先部に段部（２７）を形成し、該段部（２７）に当るよう上記化粧板（１４）に設ける穴（１６）を小径に形成してストッパー（２８）としてあるが、ローラホルダーの側面に段部を設け、該段部に当接するよう止着ピンを保持筒（１０）の側壁に設けてもよい（図示略）。
【００１４】
上記保持筒（１０）の後方には押え板（２９）が設けられている。該押え板（２９）は、上記案内板（２２）の連結部（２３）と同じ方向に平行して位置し、保持筒（１０）の後端に嵌着した後、かしめ（３０）を設けることにより保持筒に固定されているが、上記ケース（１２）の裏板部（３１）を直接押え板とすることもできる。なお、該押え板（２９）には、上記ねじ軸（２６）の頭部を受け入れできるよう穴（３２）を形成してあり、上記案内板（２２）は、連結部（２３）が押え板（２９）に当るまで図２の（ｂ）の範囲で移動することができる。
【００１５】
上記押え板（２９）と案内板（２２）の受部（２５）には、それぞれ支持ピン（３３）、（３３）を設けてあり、該案内板（２２）及びローラホルダー（１７）を介して上記ストップローラ（５）を突出する方向に付勢するようばね（３４）、（３４）を設けてある。該ばね（３４）は、２ヶ所に分散して設けることができるので、大きな力を確保でき、かつ耐久性を向上することができる。その上、セット時に力の上昇を小さく抑えることができるので、組み立てが容易となる。
【００１６】
図４、図５を参照し、受座（８）は、進入側傾斜面（３５）を有する突出部（３６）と前後の壁により断面略コ字状に形成した係止溝（７）を有する平坦部（３７）を有している。該進入側傾斜面（３５）は、上記ストップローラ（５）を本体（６）内に容易に押し込むことができるよう小さな傾斜角（θ1 ）、例えば約２０°程度の傾斜角を有し、ローラ（５）が確実に通過できる幅を有している。
【００１７】
上記係止溝（７）は、扉閉鎖時にローラ（５）が嵌入できる深さの凹部に形成され、上記突出部（３６）側の壁面、すなわち扉を開放方向へ回動する際上記ストップローラ（５）が当接する側の壁面が傾斜面（３８）に形成されている。該傾斜面（３８）の傾斜角（θ２）は、扉にある程度の開扉力を加えた場合に上記ローラ（５）を本体内に押し込むことができる程度に形成してある。この角度を大きく傾斜させるとローラを容易に本体内に押し込むことができるので扉の自閉力が弱い場合には風圧等で扉が簡単に開いてしまう。また、この角度があまり小さすぎるとローラを簡単に押し込むことがむずかしくなる。そのため、風圧等では扉が開かないよう開扉力としてある程度以上の力が必要となるように小さな角度に設定してある。実験によれば、上記傾斜角は約４５°〜２０°、好ましくは約３０°程度に設けると良好な結果が得られた。
【００１８】
また、開閉方向の上記係止溝（７）の幅が狭いと、扉を閉鎖する際のバタつきや反動によりローラ（５）が係止溝（７）から外れるおそれもあるので、該係止溝の幅はローラ（５）が係止溝（７）に嵌合した際、該ストップローラ（５）との間に微少間隙を生じる程度の幅に形成してある（図５参照）。なお、突出部の前方には化粧板（４０）がねじ（４１）で止着されている。
【００１９】
上記のように本体（６）を扉枠（４）に固定し、扉（１）とのチリ寸法に合わせて上記ローラホルダー（１７）を調整する。そして、扉をドアクローザの自閉力により回動させて開口部（３）を閉鎖すると、閉鎖間際に、ローラ（５）に受座（８）の突出部（３６）が当るが、該突出部（３６）の進入側傾斜面（３５）の傾斜角（θ1 ）は小さいので、ローラ（５）は自閉力により容易に押し上げられ、突出部（３６）の頂点（３９）を越えて係止溝（７）に嵌合し、扉は閉鎖位置に保持される。
【００２０】
閉扉速度が速い場合、扉が戸当り（図示略）に強く当ってはね返り、バタつくことがあるが、上記係止溝（７）の開閉方向の幅はローラが嵌入した状態でローラの外周との間に微少間隙を生じるような寸法に形成してあるので、この間隙内でバタつきが吸収され確実に保持される。その上、上記ローラ（５）が接する係止溝（７）の傾斜面（３８）の傾斜角（θ２）が小さいから、該ローラ（５）を押し上げるには大きな力が必要であるが、はね返り力ではそれ程大きな力は生じないので、扉のはね返りを防ぎ、確実に閉鎖状態を保持できる。したがって、扉を閉じ切るためにある程度閉扉速度を速くしても支障はない。
【００２１】
一方、扉を開放する場合、従来の防火扉ではドアクローザの自閉力より若干大きな力を付加すれば開くことができるから、扉が大きかったり自閉力が小さかったりしたときは、風圧等が余分に付加されただけで扉はわずかに開いてしまうおそれがあった。本発明の場合、扉を開放するには係止溝（７）からローラ（５）を押し上げなければならないが、上記ローラ（５）を押し上げるための傾斜面（３８）の傾斜角（θ２）が小さいから、かなりの抵抗力となり、この抵抗力に打ち勝つだけの力（開扉力）を必要とし、通常の状態で生じる程度の多少の風圧等が作用しても簡単に扉が開放されるおそれはない。
【００２２】
扉の側面を押し、もしくは引いて上記抵抗力以上の開扉力で上記ローラを押し上げれば、扉は開放する。したがって、従来のラッチ装置のようにハンドル等の操作が不要となり、防火扉の避難方法として有効に用いることができる。上記抵抗力は、上記ローラホルダーの突出量を変えることにより調整することができるから、非常時、老人や女子等が出せる力以内に設定すればよい。
【図面の簡単な説明】
【００２３】
【図１】本発明の概略構成図。
【図２】本体の断面図。
【図３】ケースを断面し、押え板を省略した本体の平面図。
【図４】受座の斜視図。
【図５】受座の断面図。
【符号の説明】
【００２４】
１    扉
２    ドアクローザ
３    開口部
４    扉枠
５    ストップローラ
６    本体
７    係止溝
８    受座
９    ベース
１０    保持筒
１２    ケース
１４    化粧板
１７    ローラホルダー
２０    雌ねじ
２１    挿通溝
２２    案内板
２３    連結部
２４    側枠部
２５    受部
２６    ねじ軸
２９    押え板
３４    ばね
３８    傾斜面
【図１】
2005082994.tif 000003
【図２】
2005082994.tif 000004
【図３】
2005082994.tif 000005
【図４】
2005082994.tif 000006
【図５】
2005082994.tif 000007